【手続補正書】
【提出日】平成16年8月27日(2004.8.27)
【手続補正１】
【補正対象書類名】特許請求の範囲
【補正対象項目名】全文
【補正方法】変更
【補正の内容】
【特許請求の範囲】
【請求項１】
光コンポーネントに対して光ファイバーを位置合わせするための光ファイバー終端装置であって、
光ファイバーの端部を終端して、光ファイバー・コネクターを付与するファイバー保持部材；
遠位端部と、近位端部と、コアとを有する少なくとも一つの光ファイバーであって、該遠位端部が、該ファイバー保持部材に対して外部に配置され、該近位端部がファイバー保持部材内に保持され、該ファイバーの近位端部が、ファイバー側部を通じてファイバー・コアからの光を偏向させるように、ファイバーの長軸に対して、ある角度で配置された光反射表面を有する光ファイバー；および
光コンポーネントに対する位置合わせにおいて、ファイバー近位端部を位置決めするためにファイバー保持部材に配置された位置合わせ機構
を含む光ファイバー終端装置。
【請求項２】
光反射表面から偏向された光を受け入れるべく配置された透過表面を含み、透過表面がファイバー・コアの平面状の側壁部を含む、請求項１記載の光ファイバー終端装置。
【請求項３】
前記透過表面が、反射表面から偏向される入射光を法線で受け入れるべく方向づけされる、請求項２記載の光ファイバー終端装置。
【請求項４】
前記透過表面が、ファイバー・コアのノッチ部を含む、請求項２または３記載の光ファイバー終端装置。      
【請求項５】
前記反射表面が、ファイバー・コアの平面状の側壁部を含む、請求項１から４のいずれか１項に記載の光ファイバー終端装置。
【請求項６】
前記位置合わせ機構が保持部材の表面に配置された止め具を含む、請求項１から５のいずれか１項に記載の光ファイバー終端装置。
【請求項７】
前記ファイバー保持部材が、単結晶シリコンを含む、請求項１から６のいずれか１項に記載の光ファイバー終端装置。
【請求項８】
前記反射表面での内部全体の反射の消失を防止するために、反射表面上に配置される保護コーティングを含む、請求項１から７のいずれか１項に記載の光ファイバー終端装置。
【請求項９】
前記光ファイバーが、所定幅の幅の広い部分と、相対的に幅狭の、隣接する幅の狭い部分とを含み、前記導波路保持部材は、前記幅の狭い部分を受け入れる溝を含むとともに、前記幅の広い部分を受け入れるポケットを含む、請求項１から８のいずれか１項に記載の光ファイバー終端装置。
【請求項１０】
前記反射表面が、前記ファイバーの長軸の方向に沿って、そこから反射表面上に入射する内部全体の光の反射を付与すべく設けられる、請求項１から９のいずれか１項に記載の光ファイバー終端装置。
【手続補正２】
【補正対象書類名】明細書
【補正対象項目名】００２６
【補正方法】変更
【補正の内容】
【００２６】
本発明は以下の態様を包含する。
１）  光コンポーネントに光ファイバーを光学的に接続する光ファイバー終端装置であって、
光ファイバーの端部を終端して、光ファイバー・コネクターを付与するファイバー保持部材；および
遠位端部と、近位端部と、コアとを有する少なくとも一つの光ファイバーであって、該遠位端部が、該ファイバー保持部材に対して外部に配置され、該近位端部がファイバー保持部材内に保持され、該ファイバーの近位端部が、ファイバー側部を通じてファイバー・コアからの光を偏向させるように、ファイバーの長軸に対して、ある角度で配置された光反射表面を有する光ファイバー
を含む光ファイバー終端装置。
２）  光反射表面から偏向された光を受け入れるべく配置された透過表面を含む、項１記載の光ファイバー終端装置。
３）  前記透過表面が、ファイバー・コアの、研磨された側壁部を含む、項２記載の光ファイバー終端装置。
４）  前記透過表面が、反射表面から偏向される入射光を法線で受け入れるべく方向づけされる、項３記載の光ファイバー終端装置。
５）  前記透過表面が、ファイバー・コアの平面状の側壁部を含む、項３記載の光ファイバー終端装置。
６）  前記反射表面が、ファイバー・コアの平面状の側壁部を含む、項１記載の光ファイバー終端装置。
７）  前記ファイバー保持部材が、光コンポーネントへの位置合わせに、ファイバー近位端部を位置決めするための位置合わせ機構を含む、項１記載の光ファイバー終端装置。
８）  前記位置合わせ機構が止め具を含む、項７記載の光ファイバー終端装置。
９）  前記ファイバー保持部材が、結晶性の基体を含む、項１記載の光ファイバー終端装置。
１０）  前記ファイバー保持部材が、単結晶シリコンを含む、項１記載の光ファイバー終端装置。
１１）  前記反射表面上に配置されるコーティングを含む、項１記載の光ファイバー終端装置。
１２）  前記コーティングが、反射コーティングを含む、項１記載の光ファイバー終端装置。
１３）  前記コーティングが、反射表面での内部全体の反射の消失を防止するための保護コーティングを含む、項１記載の光ファイバー終端装置。
１４）  前記少なくとも一つの光ファイバーが、光ファイバー・リボンを含む、項１記載の光ファイバー終端装置。
１５）  前記光ファイバーが、所定幅の幅の広い部分と、相対的に幅狭の、隣接する幅の狭い部分とを含み、前記導波路保持部材は、前記幅の狭い部分を受け入れる溝を含むとともに、前記幅の広い部分を受け入れるポケットを含む、項１記載の光ファイバー終端装置。
１６）  前記反射表面が、前記ファイバーの長軸の方向に沿って、そこから反射表面上に入射する内部全体の光の反射を付与すべく設けられる、項１記載の光ファイバー終端装置。
１７）  光ファイバー終端装置を製造する方法であって、
ファイバー保持部材の前面に配置された位置決め機構と、光ファイバーを受け入れるため該前面における凹みエリアとを有するファイバー保持部材を提供するステップと；
該ファイバー保持部材の凹みエリア内に光ファイバーの終端部を固着するステップと；
治具の位置合わせエレメントにファイバー保持部材の位置合わせ機構を位置合わせして、該治具の合わせ表面にファイバー保持部材の前面を固着することによって、治具にファイバー保持部材を装着するステップと；
ファイバー側部を通じてファイバー・コア外部からの光を偏向させるべく方向づけされた光反射表面を提供するために、ファイバーの長軸に対して選択された角度でファイバーの固着された終端部を研磨するステップとを含む、前記方法。
１８）  前記ファイバーの長軸に対して選択された角度で、該ファイバーの、固定された終端部を研磨して、前記光反射表面から偏向される光を受け入れるべく方向づけられるファイバーの近位端部で透過表面を提供するステップを含む、項１７記載の方法。
１９）  位置合わせ機構を有するファイバー保持部材を提供するステップが、止め具を含む位置合わせ機構を提供するステップを含む、項１７記載の方法。
２０）  前記研磨ステップが、前記反射表面で内部全体の光の反射を提供する角度でファイバーの終端部を研磨するステップを含む、項１７記載の方法。
本発明の上記およびほかの利点は、前記明細書から当業者に明白である。従って、本発明の広義の意味での発明の概念から逸脱しない限り、上記の実施形態への変更または改良を行えることは、当業者に理解される。従って、本発明は、本明細書に記載の特定の実施様態に限定されず、特許請求の範囲に記載の発明の範囲および意図における変更および改良をすべて含むことを意図するものと理解される。